(57)【要約】【課題】電気機器の消費電力を安全に、かつ、正確に掌握すること。【解決手段】宅内差し込みコンセントへ離脱可能に差し込まれる受電プラグと、家電機器の電源接続用プラグが離脱可能に差し込まれる給電ソケットと、前記給電ソケットに電源接続用プラグが差し込まれた家電機器の消費電力を測定する電力測定部と、測定された消費電力に関する情報を通信ネットワークを通じて外部通信機器へ送信する通信部と、表示部とを備え、前記表示部は、前記通信部が通信ネットワークに参加可能な状態であることを表示すると共に、前記家電機器の消費電力の異常状態を表示する電力測定器。【選択図】図４
2014050226.tif 000002
【特許請求の範囲】
【請求項１】
宅内差し込みコンセントへ離脱可能に差し込まれる受電プラグと、家電機器の電源接続用プラグが離脱可能に差し込まれる給電ソケットと、前記給電ソケットに電源接続用プラグが差し込まれた家電機器の消費電力を測定する電力測定部と、測定された消費電力に関する情報を通信ネットワークを通じて外部通信機器へ送信する通信部と、表示部とを備え、前記表示部は、前記通信部が通信ネットワークに参加可能な状態であることを表示すると共に、前記家電機器の消費電力の異常状態を表示する電力測定器。
【請求項２】
前記電力測定部が、受電プラグから給電ソケットへ流れる電流を検出する電流検出部と、前記電流検出部から検出される電流Ｉと受電プラグから受電する電圧Ｅに基づいて前記家電機器の消費電力を算出する電力演算部とを備える請求項１記載の電力測定器。
【請求項３】
前記電力演算部は、前記電流検出部により検出された電流Ｉと、前記受電プラグから受電する電圧Ｅとの位相差θを算出し、電流Ｉと電圧Ｅの実効値をそれぞれＩｅ、Ｅｅとするとき、前記消費電力をP=Ie・Ee・cosθにより算出する請求項２記載の電力測定器。
【請求項４】
前記表示部は発光素子からなる請求項１〜３のいずれか１つに記載の電力測定器。
【請求項５】
複数の電気機器の各々から消費電力に関する情報を取得する取得部と、ディスプレイと、前記取得部を介して取得した前記情報を処理して前記ディスプレイに表示する制御部とを備え、前記取得部が請求項１〜４のいずれか１つに記載の電力測定器からなる電力管理システム。
【発明の詳細な説明】
【技術分野】
【０００１】
この発明は、電気機器における消費電力を測定する電力測定器およびそれを用いた電力管理システムに関する。
【背景技術】
【０００２】
近年、環境保護やエネルギー問題の観点から、家庭内で使用される電気機器（主として、家電機器）の省エネルギー（以下、「省エネ」とも称す。）意識を高める取り組みがなされている。省エネは、エネルギーを効率的に使用したり、余分なエネルギーの消費を抑えたりすることによって、エネルギーの消費量を低減しようとするものである。このような取り組みを支援するためのシステムとして、ＨＥＭＳ（Home Energy Management System：家庭内電力管理システム）が実用化されつつある。このようなＨＥＭＳを用いることで、家庭内の電力管理や電力制御をより容易に行うことができる。
【０００３】
省エネを実現するためには、まず、電気機器の消費電力の状態を掌握する必要がある。この点で、分岐ブレーカ毎に電力測定装置を設けて電力を測定し、その結果をグループ分けして電力使用量の一覧を表示する電力管理システムが知られている（例えば、特許文献１参照）。
【先行技術文献】
【特許文献】
【０００４】
【特許文献１】特開２０１１−１２０４２８号公報
【発明の概要】
【発明が解決しようとする課題】
【０００５】
しかしながら、このような従来の電力管理システムでは、電力の測定が分岐ブレーカ毎であり、分岐ブレーカの設置状況に応じたデータの取得および表示となるため、電気機器毎の消費電力のデータを取得して、ユーザにとって有用な消費電力の状態に関する情報を表示することができない。
さらに、各電気機器の消費電力が定格値を越えたり、各電気機器の消費電力情報が誤って表示されても、それらを速やかにユーザに知らせることができないという問題点があった。
【０００６】
この発明は、このような事情を考慮してなされたものであって、電気機器が定格電力を越えることなく安全に使用されると共に、電気機器の消費電力に関する情報を正しく外部通信機器へ伝達することが可能な電力測定器および電力管理システムを提供するものである。
【課題を解決するための手段】
【０００７】
この発明は、宅内差し込みコンセントへ離脱可能に差し込まれる受電プラグと、家電機器の電源接続用プラグが離脱可能に差し込まれる給電ソケットと、前記給電ソケットに電源接続用プラグが差し込まれた家電機器の消費電力を測定する電力測定部と、測定された消費電力に関する情報を通信ネットワークを通じて外部通信機器へ送信する通信部と、表示部とを備え、前記表示部は、前記通信部が通信ネットワークに参加可能な状態であることを表示すると共に、前記家電機器の消費電力の異常状態を表示する電力測定器を提供するものである。
【発明の効果】
【０００８】
この発明によれば、通信ネットワークに参加可能な状態であることを表示するための表示部を、家電機器で消費される電力が所定値を越えるとき、および測定した電力が外部通信機器へ満足に伝達されないときにも用いるため、ユーザは速やかにその状況を知ることができ、安全に家電機器を使用することができる。
【図面の簡単な説明】
【０００９】
【図１】この発明の実施形態による電力管理システムの全体構成を示す系統図である。
【図２】この発明の実施形態によるホームコントローラの構成を示すブロック図である。
【図３】この発明の実施形態による電力測定器の外観図である。
【図４】この発明の実施形態による電力測定器の構成を示すブロック図である。
【図５】この発明の実施形態によるホームコントローラの表示例を示す説明図である。
【図６】この発明の実施形態による電力測定器の要部動作を示すフローチャートである。
【図７】この発明の実施形態による電力測定器のペアリング設定動作を示すフローチャートである。
【発明を実施するための形態】
【００１０】
この発明による電力測定器は、宅内差し込みコンセントへ離脱可能に差し込まれる受電プラグと、家電機器の電源接続用プラグが離脱可能に差し込まれる給電ソケットと、前記給電ソケットに電源接続用プラグが差し込まれた家電機器の消費電力を測定する電力測定部と、測定された消費電力に関する情報を通信ネットワークを通じて外部通信機器へ送信する通信部と、表示部とを備え、前記表示部は、前記通信部が通信ネットワークに参加可能な状態であることを表示すると共に、前記家電機器の消費電力の異常状態を表示する電力測定器を備えることを特徴とする。
【００１１】
前記電力測定部が、受電プラグから給電ソケットへ流れる電流を検出する電流検出部と、前記電流検出部から検出される電流Ｉと受電プラグから受電する電圧Ｅに基づいて前記家電機器の消費電力を算出する電力演算部とを備えてもよい。
前記電力演算部は、前記電流検出部により検出された電流Ｉと、前記受電プラグから受電する電圧Ｅとの位相差θを算出し、電流Ｉと電圧Ｅの実効値をそれぞれＩｅ、Ｅｅとするとき、前記消費電力をP=Ie・Ee・cosθにより算出することが好ましい。
前記表示部は発光素子から構成されてもよい。
別の観点からこの発明は、複数の電気機器の各々から消費電力に関する情報を取得する取得部と、ディスプレイと、前記取得部を介して取得した前記情報を処理して前記ディスプレイに表示する制御部とを備え、前記取得部が上記電力測定器からなる電力管理システムを提供するものである。
【００１２】
以下、図面に示す実施形態を用いてこの発明を説明する。これによってこの発明が限定されるものではない。
＜電力管理システムの構成＞
この実施形態による電力管理システムは、少なくとも１つの電気機器における消費電力に関する電力情報を管理する。
【００１３】
ここでいう電力情報は、対応の電気機器（電気器具）における消費電力に係るさまざまな情報を含む。
【００１４】
以下、家屋内で使用される複数の電気機器を含む電力管理システムを一例として説明するが、この発明はこのような電力管理システムのみに限定されるものではない。
【００１５】
この明細書において、電気機器は、外部から供給される電力によって動作する機器、および、何らかのエネルギーによって発電する機器のいずれをも含む。家屋は、住宅やオフィスなどを含む。
【００１６】
図１は、この発明の実施形態による電力管理システム１の全体構成を示す系統図である。
この実施形態による電力管理システム１は、住宅やオフィスなどの家屋内に設置される。より具体的には、電力管理システム１は、電力を消費する電気機器として、複数の家電機器を含む。
【００１７】
図１には、家電機器として、家屋内に設置されるエアコン（空気調和機）２００Ａ、テレビジョン２００Ｂ、電子レンジ２００Ｃ、冷蔵庫２００Ｄ、および照明器具２００Ｅが図示されている。また、電力管理システム１は、電力を発生する電気機器としての太陽光発電装置２００Ｘ、および電力の蓄電／放電を行う蓄電池２００Ｙを含む。蓄電池２００Ｙは、住宅などに設置されるものであってよいし、自動車用の蓄電池を住宅用の蓄電池として兼用するものであってもよい。
【００１８】
さらに、電力管理システム１は、太陽光発電装置２００Ｘ、蓄電池２００Ｙ、電力系統（電力会社が提供する商用電源など）と、分電盤３００とが接続され、それぞれの電力を制御するためのパワーコンディショナ２００Ｚを備える。パワーコンディショナ２００Ｚは、太陽光発電装置２００Ｘからの発電電力、蓄電池２００Ｙに対する充放電電力、電力系統からの購入電力を、効率の観点からバランスさせた上で、分電盤３００を介して接続された電力線４０２により電気機器２００Ａ〜２００Ｅへ電力を供給する。
【００１９】
さらに、電力管理システム１は、電気機器２００Ａ〜２００Ｅの各々に関連付けられた測定器４００、太陽光発電装置２００Ｘ、蓄電池２００Ｙおよびパワーコンディショナ２００Ｚなどを監視・制御するための電力管理装置であるホームコントローラ１００を備える。
【００２０】
ホームコントローラ１００は、無線のネットワーク４０１を介して、電気機器２００Ａ〜２００Ｅのそれぞれに関連付けられた測定器４００、およびパワーコンディショナ２００Ｚなどとの間でデータ通信が可能である。
【００２１】
無線のネットワーク４０１としては、任意のものを利用することができるが、例えば、ＩＥＥＥ８０２．１１規格に準拠する無線ＬＡＮ（Local Area Network）、ＺｉｇＢｅｅ（登録商標）、Ｂｌｕｅｔｏｏｔｈ（登録商標）、赤外線通信方式などを用いることができる。
【００２２】
測定器４００は、電気機器２００Ａ〜２００Ｅに関連付けられ、関連付けられた電気機器２００Ａ〜２００Ｅにおける消費電力に関する情報を測定するとともに、その測定情報をホームコントローラ１００へ送信する。典型的には、測定器４００としては、電力線４０２と電気機器２００Ａ〜２００Ｅの各プラグ２５０Ａ〜２５０Ｅとの間に配置されて消費電力の状態を測定する電力測定器が用いられる。
【００２３】
図１に示す例では、電力線４０２に５つの測定器４００が電気的に接続されている。各測定器４００には、エアコン２００Ａのプラグ２５０Ａと、テレビジョン２００Ｂのプラグ２５０Ｂと、電子レンジ２００Ｃのプラグ２５０Ｃと、冷蔵庫２００Ｄのプラグ２５０と、照明器具２００Ｅのプラグ２５０Ｅとがそれぞれ接続されている。
【００２４】
そのため、５つの測定器４００は、それぞれ、エアコン２００Ａ、テレビジョン２００Ｂ、電子レンジ２００Ｃ、冷蔵庫２００Ｄ、照明器具２００Ｅにおける消費電力に関する情報を測定する。
【００２５】
ホームコントローラ１００は、電力管理システム１における電力の消費／発生の状態などをユーザに提示したり、ユーザから電力管理システム１における電力管理に関する指示を受け付けたりするような、ユーザインターフェイスを提供する。
【００２６】
また、ホームコントローラ１００は、ハードディスク１０９（図２）に格納される消費電力に関する情報などに基づいて、消費電力に関するグラフ等を表示することも可能である。ホームコントローラ１００は、ポータブル型であってもよいし、テーブル上に配置されたベースに対して着脱自在であってもよいし、部屋の壁などに固定されるものであってもよい。
【００２７】
＜ホームコントローラ１００＞
次に、図１に示す電力管理システム１の電力管理装置であるホームコントローラ１００の構成について説明する。
図２は、この発明の実施形態によるホームコントローラ１００の構成を示すブロック図である。
【００２８】
図２に示すように、ホームコントローラ１００は、プロセッサであるＣＰＵ（Central Processing Unit）１０１と、ディスプレイ１０３およびタブレット１０４を含むタッチパネル１０２と、操作ボタン１０５と、通信インターフェイス１０６と、出力インターフェイス１０７と、入力インターフェイス１０８と、ハードディスク１０９と、メモリ１１０と、スピーカー１１１と、時計１１２とを備える。
【００２９】
ＣＰＵ１０１は、ホームコントローラ１００における全体処理を司る制御部であり、メモリ１１０などに予め格納されたプログラムを実行することで、後述するような各種機能を提供する。
【００３０】
ＣＰＵ１０１は、タブレット１０４または操作ボタン１０５から入力されるユーザ操作によって指示された処理を実行する。このような指示としては、パワーコンディショナ２００Ｚに対する制御モードの変更に関する指示、現在または過去の電力管理状態を表示する指示などを含む。
【００３１】
タッチパネル１０２は、ユーザインターフェイスを提供する装置であり、ＣＰＵ１０１からの命令に従って各種情報をユーザに提示するとともに、ユーザから入力された指示をＣＰＵ１０１へ出力する。より具体的には、ディスプレイ１０３は、例えば、ＬＣＤ（Liquid Crystal Display）や有機ＥＬ（Electro Luminescence）ディスプレイなどからなり、その表示面に画像を表示する。
【００３２】
タブレット１０４は、ユーザの指などによるタッチ操作を検出して、そのタッチ操作がなされた位置を示す座標値などをＣＰＵ１０１へ出力する。この実施形態においては、ディスプレイ１０３の表示面に対応付けてタブレット１０４が設けられている。
【００３３】
操作ボタン１０５は、ユーザ操作を受け付けるための入力手段であり、ホームコントローラ１００の表面に１つまたは複数が配置される。操作ボタン１０５は、決定ボタン、戻りボタン、方向ボタン、テンキーなどの複数のボタンやキーを含む。操作ボタン１０５は、ユーザ操作を受け付けると、そのユーザ操作を示す情報をＣＰＵ１０１へ出力する。
【００３４】
通信インターフェイス１０６は、ＣＰＵ１０１からの命令に従って、測定器４００、太陽光発電装置２００Ｘ、蓄電池２００Ｙ、およびパワーコンディショナ２００Ｚなどとの間でデータ通信を行う。より具体的には、通信インターフェイス１０６は、上述したような、ＩＥＥＥ８０２．１１規格に準拠する無線ＬＡＮ（Local Area Network）、ＺｉｇＢｅｅ（登録商標）、Ｂｌｕｅｔｏｏｔｈ（登録商標）、赤外線通信方式などを利用する。
【００３５】
出力インターフェイス１０７は、ＣＰＵ１０１とディスプレイ１０３との間の内部コマンドの遣り取りを仲介する入力インターフェイス１０８は、タブレット１０４および／または操作ボタン１０５と、ＣＰＵ１０１との間の内部コマンドの遣り取りを仲介する。
【００３６】
ハードディスク１０９は、ホームコントローラ１００での情報処理に必要な各種データ１５０を格納する。
【００３７】
メモリ１１０は、揮発性記憶装置であるＲＡＭ（Random Access Memory）や、不揮発性記憶装置であるＲＯＭ（Read-Only Memory）などによって実現され、ＣＰＵ１０１によって実行されるプログラムや、ＣＰＵ１０１によるプログラムの実行に必要なワークデータを格納する。
【００３８】
スピーカー１１１は、音声デバイスであり、ＣＰＵ１０１からの命令に従って音声を出力する。時計１１２は、計時手段であり、ＣＰＵ１０１からの命令に従って、現在の日付や時刻をＣＰＵ１０１へ応答する。
【００３９】
なお、ハードディスク１０９およびメモリ１１０は、通信インターフェイスを介して接続される記憶媒体を用いて実現してもよい。このような記憶媒体としては、フラッシュメモリ、マスクＲＯＭ、ＥＰＲＯＭ（Electronically Programmable Read-Only Memory）、ＥＥＰＲＯＭ（Electronically Erasable Programmable Read-Only Memory）、ＩＣ（Integrated Circuit）カードなどの半導体記憶媒体、ＣＤ−ＲＯＭ（Compact Disk-Read Only Memory）やＤＶＤ−ＲＯＭ（Digital Versatile Disk-Read Only Memory）などの光学ディスク記憶媒体、ＭＯ（Magnetic Optical Disc）やＭＤ（Mini Disc）などの光磁気ディスク記憶媒体、ＦＤ（Flexible Disk）、磁気テープ、カセットテープなどの磁気記憶媒体を用いることができる。
【００４０】
ホームコントローラ１００における情報処理は、ＣＰＵ１０１が周辺のハードウェアコンポーネントと連係してプログラムを実行することで実現される。一般的には、このようなプログラムは、メモリ１１０などに予めインストールされる。
【００４１】
このようなプログラムは、任意の記憶媒体に格納されて流通することで提供されうる。あるいは、このようなプログラムは、インターネットなどに接続されているサーバ装置（または、他の装置）からのダウンロードによって提供されうる。
【００４２】
記憶媒体から格納されているプログラムが読み出されて、または、サーバ装置からダウンロードによりプログラムが取得されて、メモリ１１０などに一旦格納される。そして、ＣＰＵ１０１は、メモリ１１０に格納されたプログラムを実行可能な形式に展開した上で、当該プログラムを実行する。
【００４３】
このようなプログラムを格納する記憶媒体としては、フラッシュメモリ、マスクＲＯＭ、ＥＰＲＯＭ、ＥＥＰＲＯＭ、ＩＣカードなどの半導体記憶媒体、ＣＤ−ＲＯＭやＤＶＤ−ＲＯＭなどの光学ディスク記憶媒体、ＭＯやＭＤなどの光磁気ディスク記憶媒体、ＦＤ、磁気テープ、カセットテープなどの磁気記憶媒体を用いることができる。
【００４４】
さらに、メモリ１１０などに予めプログラムをインストールするのではなく、別のシステムまたは装置に格納されているプログラムをＣＰＵ１０１が読み出して実行するようにしてもよい。
【００４５】
さらに、記憶媒体などから読み出されたプログラムが、コンピュータに装着された機能拡張ボードや機能拡張ユニットに搭載されるメモリなどに書き込まれた後、当該プログラムに従って、当該機能拡張ボードや機能拡張ユニットに搭載される演算部（ＣＰＵなど）が必要な処理の全部または一部を行うことで、この実施形態による機能を実現するようにしてもよい。
【００４６】
さらに、ＣＰＵ１０１がプログラムを実行することによりこの実施形態によるすべての機能を実現するだけでなく、プログラムに従って、コンピュータ上で実行されているＯＳ（オペレーティングシステム）などが必要な処理の全部または一部を行うことで、この実施形態による機能を実現するようにしてもよい。
【００４７】
上述のようなソフトウェアによってこの実施形態による機能を実現する場合には、記憶媒体などから読み出されたプログラム自体、または、当該プログラムを格納した記憶媒体が本発明の一形態を構成することになる。
【００４８】
なお、この明細書において、プログラムは、ＣＰＵ１０１により直接的に実行可能なプログラムだけではなく、ソースプログラム形式のプログラム、圧縮処理されたプログラム、および暗号化されたプログラムを含む。
【００４９】
＜測定器４００＞
図３は、この発明の実施形態による測定器４００の外観図である。ここで、図３（ａ）には、測定器４００の給電ソケット４００１を含む斜視図を示し、図３（ｂ）には、測定器４００の側面図を示し、図３（ｃ）には、測定器４００の受電プラグ４００２を含む斜視図を示す。
【００５０】
電気機器２００Ａ〜２００Ｅから消費電力に関する情報を取得する測定部としての測定器４００は、電力線４０２（図１）を流れる電力を供給するためのソケットと電気機器２００Ａ〜２００Ｅのプラグ２５０Ａ〜２５０Ｅとの間に介挿されるように配置される。
【００５１】
より具体的には、図３（ａ）に示すように測定器４００の表面４０５１には、プラグ差込用の給電ソケット４００１が設けられている。一方、図３（ｂ）および図３（ｃ）に示すように、測定器４００の表面４０５１とは反対側の面である表面４０５３には、受電プラグ４００２が設けられている。
【００５２】
給電ソケット４００１には、電気機器２００Ａ〜２００Ｅのプラグ２５０Ａ〜２５０Ｅが差し込まれるとともに、受電プラグ４００２は、家屋内に設けられる電力線４０２を介して電力を供給するためのソケット（コンセント／アウトレット）に差し込まれる。
【００５３】
なお、測定器４００は、なるべく薄い方が好ましいので、側面４０５２の厚さは可能な限り小さく設計される。
【００５４】
測定器４００の表面４０５１には、さらに、表示部４０４１および設定ボタン４０４２が設けられている。表示部４０４１は赤色と青色のＬＥＤを備える。
【００５５】
より具体的には、表示部４０４１は、その表示内容に対応するように、点灯の有無、点滅の有無／周期、発光色などを異ならせて発光する。設定ボタン４０４２は、ユーザ操作を受け付けるための入力手段であり、ユーザによって操作されると、測定器４００における初期設定などが開始される。
なお、表示部４０４１は単色（例えば赤色）のＬＥＤのみを備え、点灯の有無や点滅の周波数によって表示内容を表すようにしてもよい。
【００５６】
図４は、この発明の実施形態による測定器４００の構成を示すブロック図である。
図４に示すように、測定器４００は、給電ソケット４００１、受電プラグ４００２、発光部４０４１、および設定ボタン４０４２に加えて、給電ソケット４００１と受電プラグ４００２とを電気的に接続する一対の主配線４００４および４００５と、主配線４００５に挿入されたシャント抵抗４００３と、電源部４００７と、電力測定部４０１０と、通信部４０２０と、アンテナ４０３０とを備える。
【００５７】
電力測定部４０１０は、受電プラグ４００２から給電ソケット４０１へ流れる電力を検出する。より具体的には、電力測定部４０１０は、電圧入力ＡＤＣ（Analog to Digital Converter：アナログ・デジタル変換器）４０１１と、電流入力ＡＤＣ４０１２と、電力演算部４０１３と、デジタル／周波数変換部４０１４とを備える。
【００５８】
電圧入力ＡＤＣ４０１１は、配線Ｖ１ＰおよびＶ１Ｎを介して、主配線４００４および４００５にそれぞれ接続される。電圧入力ＡＤＣ４０１１は、主配線間に生じる電圧（電位差）を示すデジタル信号を電力演算部４０１３へ出力する。
【００５９】
電流入力ＡＤＣ４０１２は、配線Ｖ２ＰおよびＶ２Ｎを介して、主配線４００５に挿入されたシャント抵抗４００３の両端と電気的に接続される。シャント抵抗４００３は、流れる電流値を測定するために使われる微小な（数百マイクロ）抵抗である。電流入力ＡＤＣ４０１２は、シャント抵抗４００３に流れる電流の電流値を示すデジタル信号を電力演算部４０１３へ出力する。
【００６０】
電力演算部４０１３は、電圧入力ＡＤＣ４０１１から得られるデジタル信号（電圧Ｅ）と、電流入力ＡＤＣ４０１２から得られるデジタル信号（電流Ｉ）との位相差θを算出し、電圧Ｅと電流Ｉとの実効値をＥｅ、Ｉｅとするとき、力率をcosθとして
P=Ie・Ee・cosθ・・・（１）
を演算する。そして、その結果得られた値Ｐ（実効電力／単位：ＷまたはｋＷ）を示すデジタル信号を電力値としてデジタル／周波数変換部４０１４へ出力する。
【００６１】
デジタル／周波数変換部４０１４は、電力演算部４０１３からのデジタル信号を周波数信号に変換し、その結果得られた周波数信号を通信部４０２０へ出力する。
【００６２】
電源部４００７は、測定器４００の各コンポーネントに電力を供給する。電源部４００７は、主配線４００４および４００５に接続され、受電プラグ４００２から給電ソケット４００１へ流れる電力の一部を測定器４００の駆動用の電力として利用する。電源部４００７は、交流電力を直流電力に変換した後、その直流電力を電力測定部４０１０および通信部４０２０へ供給する。
【００６３】
通信部４０２０は、電力測定部４０１０により算出された給電ソケット４００１に接続されている電気機器における消費電力Ｐを示す無線信号を、アンテナ４０３０を介して送出する。
【００６４】
より具体的には、通信部４０２０は、ＣＰＵ４０２１と、ＲＯＭ４０２２と、ＲＡＭ４０２３と、ＧＰＩＯ（General Purpose Input/Output）４０２４と、無線ＲＦ（Radio Frequency）部４０２５とを備える。
【００６５】
ＧＰＩＯ４０２４は、デジタル／周波数変換部４０１４から入力された消費電力Ｐを表す周波数信号を受信し、その周波数信号の情報をＣＰＵ４０２１へ出力する。
【００６６】
ＣＰＵ４０２１は、ＧＰＩＯ４０２４からの消費電力Ｐを表す周波数信号を所定のロジックに従ってデータ変換し、その結果を無線ＲＦ部４０２５へ出力する。無線ＲＦ部４０２５は、ＣＰＵ４０２１からのデータ変換結果に基づいて搬送波を変調することで、無線信号を生成する。無線ＲＦ部４０２５で生成された無線信号は、アンテナ４０３０を介して、送信される。
また、ＣＰＵ４０２１は、ＧＰＩＯ４０２４から得られる消費電力Ｐを予め設定された値Ｐｓと比較し、Ｐ＞Ｐｓの場合には表示部４０４１を作動させる。
【００６７】
ＣＰＵ４０２１は、ＲＯＭ４０２２に予め格納されているプログラムを実行することで、上述のような処理を実現する。ＲＡＭ４０２３は、ＣＰＵ４０２１によるプログラムの実行に必要なワークデータを格納する。
【００６８】
＜測定情報＞
測定器４００は、接続されている電気機器で消費される消費電力Ｐ（単位：ＷまたはｋＷ）を前述のように測定する。この消費電力Ｐを所定時間に亘って積算することで、当該電気機器の消費電力量（単位：ＷｈまたはｋＷｈ）が算出される。
【００６９】
ホームコントローラ１００は、それぞれの電気機器における消費電力および消費電力量のいずれも表示することが可能である。さらに、複数の電気機器をグルーピング化して、そのグループ全体についての消費電力および消費電力量を表示する。
【００７０】
そのため、測定器４００から送信される対応する電気機器２００Ａ〜２００Ｅについての測定情報の例としては、例えば、以下のようになる（但し、以下の例に限られるものではない）。
【００７１】
（１）各測定器４００が電気機器２００Ａ〜２００Ｅにおける消費電力を所定周期ごと（例えば、１秒ごと）に測定し、当該測定周期と同じ送信周期で、その測定された消費電力を測定情報として送信する。
【００７２】
（２）各測定器４００が電気機器２００Ａ〜２００Ｅにおける消費電力を所定周期ごと（例えば、１秒ごと）に測定し、その測定周期よりは長い送信周期で、前回の送信から今回の送信までの間に測定された複数の消費電力を測定情報として送信する。
【００７３】
（３）各測定器４００が電気機器２００Ａ〜２００Ｅにおける消費電力を所定周期ごと（例えば、１秒ごと）に測定し、当該測定周期よりは長い送信周期で、前回の送信から今回の送信までの間に測定された複数の消費電力を平均して得られた平均消費電力を測定情報として送信する。
【００７４】
（４）  （２）または（３）において、前回の送信から今回の送信までの間に測定された複数の消費電力を積算した消費電力量を測定情報に付加した上で送信する。場合によっては、複数の消費電力の平均値・最小値・最大値などを付加する。
【００７５】
測定情報には、測定器４００が何らかの手段で取得した時刻情報を付加してもよいが、一般的には、ホームコントローラ１００が測定情報を受信すると、そのときの時刻を時計１１２より取得し、受信した測定情報と関連付けてハードディスク１０９に格納する。
【００７６】
ホームコントローラ１００と測定器４００との間での測定情報の遣り取りについては、任意のプロトコルを採用することができる。典型的には、測定器４００が自身の測定した測定結果を含むパケットをブロードキャストし、ホームコントローラ１００がこのパケットを受信する構成が採用される。
【００７７】
図５は、この発明の実施形態によるホームコントローラ１００のディスプレイ１０３（図２）で表示される家電モニター画面の一例を示す説明図である。
【００７８】
＜測定器の動作＞
図６は、測定器４００の動作の要部を示すフローチャートである。
まず、図３に示す測定器４００の受電プラグ４００２が宅内差し込みコンセントに差し込まれる。
それに伴って、図６に示すように、ステップＳ０において、測定器４００をネットワーク４０１（図１）へ参加させるための「ペアリング設定」処理が行われる。なお、この「ペアリング設定」処理については、図７を用いて後述する。
【００７９】
次に、給電ソケット４００１に電気機器のプラグが差し込まれる。受電プラグ４００２からの受電電圧が、電圧入力ＡＤＣ４０１１により検出される（ステップＳ１）。
【００８０】
次に、受電プラグ４００２から給電ソケット４００１へ流れる電流がシャント抵抗４００３の両端の電圧により測定され、配線Ｖ２ＰおよびＶ２Ｎを介して電流入力ＡＤＣ４０１２へ入力される（ステップＳ２）。
【００８１】
そして、電力演算部４０１３が電圧入力ＡＤＣ４０１１および電流入力ＡＤＣ４０１２からのデジタル信号から力率を考慮して式（１）より消費電力Ｐを算出する（ステップＳ３）。
【００８２】
次に、ステップＳ３で算出された消費電力Ｐが所定値Ｐｓ以下の場合には（ステップＳ４）、表示部４０４１のＬＥＤは点灯せず（ステップＳ５）、ステップＳ３で算出された消費電力Ｐは測定情報として通信部４０２０を介してホームコントローラ１００へ送信される（ステップＳ６）。
【００８３】
ホームコントローラ１００は測定情報を受信すると、その受領信号を測定器４００へ返信する。測定器４００は受領信号を受信すると（ステップＳ７）、表示部４０４１のＬＥＤは点灯せず（ステップＳ８）、ステップＳ６における送信動作終了後、ｔ秒、例えば１秒が経過すると（ステップＳ９）、ルーチンはステップＳ１へ戻り、再び電圧と電流の検出および消費電力の算出が開始される（ステップＳ１，Ｓ２，Ｓ３）。
【００８４】
ここで、ステップＳ４において、Ｐ＞Ｐｓの場合には表示部４０４１の赤色ＬＥＤが点灯し（ステップＳ１０）、消費電力Ｐが所定値Ｐｓを越えたことをユーザに知らせる。ここで所定値Ｐｓは測定器４００に接続される電気機器の定格消費電力に対応している。つまり、測定器４００として、例えば、１．５ｋＷ、１．０ｋＷ、０．５ｋＷ用のものが用意され、接続される電気機器の定格消費電力（電力容量）に応じて選択される。
【００８５】
また、ステップＳ７において、ホームコントローラ１００からの受領信号が受信できない場合には、表示部４０４１の青色ＬＥＤが点灯し（ステップＳ１１）、測定器４００の測定した消費電力がホームコントローラ１００に満足に伝達されず、ホームコントローラ１００の表示に誤りが生じることをユーザに知らせる。
【００８６】
図７は図６のステップＳ０における「ペアリング設定」処理を示すフローチャートである。
図７に示すように、通信部４０２０に電源部４００７から電源が供給されると（ステップＳ２１）、通信部４０２０はネットワーク４０１を介して送信先、つまりホームコントローラ１００の探索を開始する（ステップＳ２２）。それに伴って、表示部４０４１の赤と青の両方のＬＥＤ（以下、単にＬＥＤという）が同時に５００ｍＳの間隔で点滅し始める（ステップＳ２３）。ネットワークへの参加を認めない状態、つまり送信先がみつからない状態が６０秒以上経過すると（ステップＳ２４，Ｓ２５）、ホールド状態になり（ステップＳ２６）、ＬＥＤが２５０ｍＳの間隔で点滅する（ステップＳ２７）。そこで、設定ボタン４０４２を短押し（５秒未満）すると、ルーチンはステップＳ２２へ戻り、ペアリング設定処理が再開される。
【００８７】
また、ステップＳ２４においてネットワークへの参加を認める状態、つまり送信先がみつかった場合には、通信ネットワークに参加したことをＬＥＤを２秒間点灯することによって知らせる（ステップＳ２９，Ｓ３０）。この時点でペアリングは完了する。
なお、ユーザは測定器４００のＬＥＤが５００ｍＳの間隔で点灯している間にホームコントローラ１００をネットワークへの参加を認める状態にするための操作を行うことが必要であり、測定器のＬＥＤの点滅はユーザがこの操作を行う時間を知らせる役割を持っている。
また、一般的な家庭では電力測定を行いたい機器は複数あるため、測定器４００は複数存在することになる。どの機器の測定をどの計測器４００と関連付けるかを分かりやすくするために設定ボタン４０４２を短押しすると（ステップＳ３１，Ｓ３２）、ＬＥＤが２５０ｍＳだけ点灯すると共にホームコントローラ１００に表示がなされ、ユーザーがどの測定器とどの機器とを結び付けようとしているかの判断の手助けとなるようにしている。また、このときにLEDが点滅するため、ユーザーは対象の測定器はペアリングが完了しネットワークに参加している状態であることを確認できる（ステップＳ３３，Ｓ３４）。また、設定ボタン４０４２を長押し（５秒以上）すると（ステップＳ３５）、ルーチンはＳ２２へ戻り、ペアリング設定処理が再開される。
このようにして、電気機器が安全に使用されると共に、消費電力が正しくユーザに伝達される。
【符号の説明】
【００８８】
１      電力管理システム
１００  ホームコントローラ
１０１，４０２１  ＣＰＵ
１０２  タッチパネル
１０３  ディスプレイ
１０４  タブレット
１０５  操作ボタン
１０６  通信インターフェイス
１０７  出力インターフェイス
１０８  入力インターフェイス
１０９  ハードディスク
１１０  メモリ
１１１  スピーカー
１１２  時計
２００Ａ〜２００Ｅ  電気機器
【図１】
2014050226.tif 000003
【図２】
2014050226.tif 000004
【図３】
2014050226.tif 000005
【図４】
2014050226.tif 000006
【図５】
2014050226.tif 000007
【図６】
2014050226.tif 000008
【図７】
2014050226.tif 000009